(57)【要約】【課題】  断面Ｉ字状に形成されたＩ字状梁材に強固に取付可能であり且つ取付作業性の高い吊り具を提供すること。【解決手段】  Ｉ字状梁材に野縁及び天井板を吊支できる建築用の吊り具であって、Ｉ字状梁材のフランジの下面と対向するベース板部と、所定間隔を隔ててベース板部から上側に延びる一対の係止片を有する上固定部と、野縁を固定することができる下固定部とを備え、一対の係止片は、ベース板部から垂直方向へ延び、且つ、内壁面が互いに平行である垂直片と、垂直片から水平方向に延びる水平片とを有し、フランジを、水平片間を通過させてベース板部に当接させ、ベース板部を水平に回転させることで、垂直片の内壁面がフランジの側面に対向するとともに、水平片の下面がフランジの上面に当接し、係止片間にフランジが狭持されるように吊り下げられる吊り具。【選択図】    図１
2010168851.tif 000002
【特許請求の範囲】
【請求項１】
建物の天井部分に架設され、ウェブとフランジとから断面Ｉ字状に形成されたＩ字状梁材に野縁及び天井板を吊支することができる建築用の吊り具であって、
前記Ｉ字状梁材の前記フランジの下面と対向するベース板部と、
所定間隔を隔てて前記ベース板部から上側に延びる一対の係止片を有する上固定部と、
前記ベース板部の下側に設けられ、前記野縁を固定することができる下固定部とを備え、
前記一対の係止片は、前記ベース板部から垂直方向へ延び、且つ、内壁面が互いに平行である垂直片と、前記垂直片から水平方向に互いに接近するように同一平面上に延びる水平片とを有し、
前記Ｉ字状梁材のフランジを、前記一対の係止片の前記水平片間を通過させて前記ベース板部に当接させ、前記ベース板部を水平に回転させることで、前記垂直片の前記内壁面が前記フランジの側面に対向するとともに、前記水平片の下面が前記フランジの上面に当接して、前記一対の係止片間に前記フランジが狭持されるようにして吊り下げられることを特徴とする吊り具。
【請求項２】
前記一対の係止片の内壁面には防振弾性部材が設けられており、前記一対の係止片が該防振弾性部材を介して前記梁材の前記フランジと当接することを特徴とする請求項１に記載の吊り具。
【請求項３】
前記下固定部は、前記野縁を前記野縁の両側面側から挟みこんで固定することができるように、一方の下固定部の面と他方の下固定部の面とが互いに平行であることを特徴とする請求項１又は２に記載の吊り具。
【請求項４】
前記下固定部は、前記ベース板部に対して回転自在に取り付けられていることを特徴とする請求項１〜３のいずれか１に記載の吊り具。
【請求項５】
前記ベース板部と前記下固定部とが防振弾性部材を介して取り付けられていることを特徴とする請求項４に記載の吊り具 。
【発明の詳細な説明】
【技術分野】
【０００１】
この発明は、建物の天井部分に架設される梁材に天井材を吊支することが可能な建築用の吊り具に関する。
【背景技術】
【０００２】
従来より、木造住宅の室内に天井板を取り付ける施工作業は、梁材に吊り具を固定し、この吊り具に野縁を固定し、この野縁に天井板を貼り付けて行われている。従来、梁材は、一枚の板からなるものが用いられ、梁材に天井板を吊支する吊り具は、上固定部を梁材の側面にネジ止めにより固定されるとともに、下固定部を野縁の側面にネジ止めすることにより固定されて用いられていた（例えば、特許文献１参照）。
【０００３】
近年、木材資源の有効活用の観点から、木質Ｉ型複合梁という断面Ｉ字状に加工された梁材が用いられるようになってきている。
図９は、Ｉ字状梁材を模式的に示す斜視図である。
図９に示すように、Ｉ字状梁材１２０は、木片を樹脂で固めた薄い板状のウェブ１２２と、ベニアを重ねて圧着成形した積層合板からなるフランジ１２１とから構成されており、収縮、割れ、ねじれ等の経年変化が生じにくい特性を有している。このようなＩ字状梁材１２０を用いる場合、特許文献１のような吊り具では、ウェブ１２２が薄い板状であるため、その側面からネジ止めしても十分な取付強度が得られず、また、フランジ１２１の部分にネジ止めすると、梁の下端と野縁との間に大きな隙間が生じ、火災時に天井を火が走りやすくなり、当該隙間を１０ｍｍ以下とする建築基準を満たすことができない。さらに、フランジ１２１は、ベニアを圧着させたものであるため、圧着面に対して水平方向にネジが取り付けられ、このネジに下方向の力が加えられると、簡単に剥がれてしまうといった問題があった。
【０００４】
そこで、従来、Ｉ字状梁材に取付可能な吊り具が提案されている（例えば、特許文献２参照）。
図１０は、従来の吊り具の使用状態を模式的に示す縦断面図である。
図１０に示すように、吊り具１００は、フランジ１２１の一方側（図１０中、左側）を上固定部１０１で上下に挟み込むことにより、Ｉ字状梁材１２０に固定されている。また、吊り具１００の下固定部１０２には、野縁１２３が固定され、野縁１２３に天井板１２４が取り付けられている。
【先行技術文献】
【特許文献】
【０００５】
【特許文献１】登録実用新案第３０９７６６４号公報
【特許文献２】特開２００７−２４７２５７号公報
【発明の概要】
【発明が解決しようとする課題】
【０００６】
しかしながら、図１０に示した吊り具１００では、薄いウェブ１２２にネジ止めするため、取付強度が低く、吊り具１００がＩ字状梁材１２０から脱落する危険性があるといった問題があった。また、Ｉ字状梁材１２０との固定、及び、野縁１２３との固定の両方をネジ止めにより行う構成となっているため、作業し難いといった問題があった。
【０００７】
本発明は、上述した課題に鑑みてなされたものであり、その目的は、断面Ｉ字状に形成されたＩ字状梁材に強固に取付可能であり、且つ、取付作業性の高い吊り具を提供することにある。
【課題を解決するための手段】
【０００８】
以上のような目的を達成するために、本発明は、以下のようなものを提供する。
（１）  建物の天井部分に架設され、ウェブとフランジとから断面Ｉ字状に形成されたＩ字状梁材に野縁及び天井板を吊支することができる建築用の吊り具であって、
上記Ｉ字状梁材の上記フランジの下面と対向するベース板部と、
所定間隔を隔てて上記ベース板部から上側に延びる一対の係止片を有する上固定部と、上記ベース板部の下側に設けられ、上記野縁を固定することができる下固定部とを備え、
上記一対の係止片は、上記ベース板部から垂直方向へ延び、且つ、内壁面が互いに平行である垂直片と、上記垂直片から水平方向に互いに接近するように同一平面上に延びる水平片とを有し、
上記Ｉ字状梁材のフランジを、上記一対の係止片の上記水平片間を通過させて上記ベース板部に当接させ、上記ベース板部を水平に回転させることで、上記垂直片の上記内壁面が上記フランジの側面に対向するとともに、上記水平片の下面が上記フランジの上面に当接して、上記一対の係止片間に上記フランジが狭持されるようにして吊り下げられることを特徴とする吊り具。
【０００９】
Ｉ字状梁材のフランジは、ベニアを重ねて圧着成形したものであるため、圧着面に対して水平方向にネジが取り付けられると、取り付けられた点を起点として圧着したベニアが剥がれ易くなることとなる。また、Ｉ字状梁材のウェブは、通常、厚さが１ｃｍ程度と薄いため、ウェブに強固にネジ止めを行うことは困難である。そのため、Ｉ字状梁材に吊り具を固定する際には、ネジ止めを行わない方がよい。
（１）の発明によれば、Ｉ字状梁材のフランジの下面と対向するベース板部と、所定間隔を隔ててベース板部から上側に延びる一対の係止片を有する上固定部と、ベース板部の下側に設けられ、野縁を固定することができる下固定部とを備えている。一対の係止片は、ベース板部から垂直方向へ延び、且つ、内壁面が互いに平行である垂直片と、垂直片から水平方向に互いに接近するように同一平面上に延びる水平片とを有している。そして、梁材のフランジを、一対の係止片の水平片間を通過させてベース板部に当接させ、ベース板部を水平に回転させることで、垂直片の内壁面がフランジの側面に対向するとともに、水平片の下面がフランジの上面に当接して、一対の係止片間にフランジが狭持されるようにして吊り下げられる。
梁材のフランジを、一対の係止片の水平片間を通過させてベース板部に当接させ、ベース板部を水平に回転させると、垂直片の内壁面がフランジの側面に対向するとともに、水平片の下面がフランジの上面に当接して、一対の係止片間にフランジが狭持されるようにして吊り下げられるため、薄いウェブにネジ止めを行ったり、水平方向に強度の弱いフランジにネジ止めを行わなくてもＩ字状梁材に強固に取り付けることが可能となる。
【００１０】
また、道具を使うことなく、手で回転させれば、Ｉ字状梁材に固定することができるため、作業性を向上させることが可能となる。加えて、Ｉ字状梁材に天井材（野縁と天井板）を、ベース板部を介して吊支できるので、Ｉ字状梁材と天井材の野縁との間に生じる隙間を狭くでき、当該隙間を１０ｍｍ以下にでき、もし火災が発生したときであっても炎が天井を走って延焼が拡大するのを軽減することができる。
【００１１】
さらに、本発明は、以下のようなものを提供する。
（２）  上記（１）の吊り具であって、
上記一対の係止片の内壁面には防振弾性部材が設けられており、上記一対の係止片が該防振弾性部材を介して上記梁材の上記フランジと当接することを特徴とする。
【００１２】
（２）の発明によれば、係止片の内壁面には防振弾性部材が設けられており、一対の係止片が該防振弾性部材を介して梁材のフランジと当接するため、上の階の床面（Ｉ字状梁材よりも上部）からの振動を下の階の天井に伝播することを抑制することができる。
【００１３】
さらに、本発明は、以下のようなものを提供する。
（３）  上記（１）又は（２）の吊り具であって、
上記下固定部は、上記野縁を上記野縁の両側面側から挟みこんで固定することができるように、一方の下固定部の面と他方の下固定部の面とが互いに平行であることを特徴とする。
【００１４】
（３）の発明によれば、野縁を、野縁の両側面、すなわち、２つの面で挟みこんで固定することができるため、野縁をより強固に固定することが可能となる。
【００１５】
さらに、本発明は、以下のようなものを提供する。
（４）  上記（１）〜（３）のいずれかの吊り具であって、
上記下固定部は、上記ベース板部に対して回転自在に取り付けられていることを特徴とする。
【００１６】
（４）の発明によれば、下固定部が、ベース板部に対して回転自在に取り付けられているため、Ｉ字状梁材のフランジの長手方向と野縁の長手方向とを、どのような関係にする場合であっても使用することができる。すなわち、例えば、平行とする場合にも使用することができ、直交とする場合にも使用することができる。
【００１７】
さらに、本発明は、以下のようなものを提供する。
（５）  上記（４）の吊り具であって、
上記ベース板部と上記下固定部とが防振弾性部材を介して取り付けられていることを特徴とする。
【００１８】
（５）の発明によれば、ベース板部と下固定部とが防振弾性部材を介して取り付けられているため、ベース板部と下固定部との取付部（例えば、ベース板部と下固定部とが接触する面）において生じ得るきしみ音を低減することができる。
【発明の効果】
【００１９】
本発明によれば、断面Ｉ字状に形成されたＩ字状梁材に強固に取付可能であり、且つ、取付作業性の高い吊り具を提供することができる。
【図面の簡単な説明】
【００２０】
【図１】（ａ）は、第１実施形態に係る吊り具を模式的に示す平面図であり、（ｂ）は、その正面図であり、（ｃ）は、その右側面図である。
【図２】（ａ）〜（ｃ）は、図１に示した吊り具の設置方法を説明するための図である。
【図３】（ａ）、（ｂ）は、図１に示した吊り具の設置方法を説明するための図である。
【図４】（ａ）は、第２実施形態に係る吊り具を模式的に示す平面図であり、（ｂ）は、その正面図であり、（ｃ）は、その右側面図である。
【図５】（ａ）〜（ｃ）は、図４に示した吊り具の設置方法を説明するための図である。
【図６】（ａ）、（ｂ）は、図４に示した吊り具の設置方法を説明するための図である。
【図７】（ａ）は、第３実施形態に係る吊り具を模式的に示す平面図であり、（ｂ）は、その正面図であり、（ｃ）は、その右側面図である。
【図８】図７（ａ）に示した吊り具のＡ−Ａ線断面図である。
【図９】Ｉ字状梁材を模式的に示す斜視図である。
【図１０】従来の吊り具の使用状態を模式的に示す縦断面図である。
【発明を実施するための形態】
【００２１】
以下、本発明の実施形態について図面を用いて説明する。
勿論、本発明は、以下の実施形態に限定されるものではなく、本発明の構成を充足する範囲内で、適宜設計変更を行うことが可能である。
【００２２】
［第１実施形態］
図１（ａ）は、第１実施形態に係る吊り具を模式的に示す平面図であり、図１（ｂ）は、その正面図であり、図１（ｃ）は、その右側面図である。
吊り具１０は、金属製であり、ベース板部１２と、所定間隔を隔ててベース板部１２から上側に延びる一対の係止片２２（係止片２２Ａ、係止片２２Ｂ）を有する上固定部２０と、ベース板部１２より下側に設けられた下固定部３０とを備える。ベース板部１２は、矩形の１組の対角の角部分（図１（ａ）中、左上部分と右下部分）が斜めに切り取られた板形状を有している。
【００２３】
図１（ａ）、図１（ｃ）に示すように、係止片２２（係止片２２Ａ、係止片２２Ｂ）は、ベース板部１２の角１６（角１６ａ、角１６ｂ）を含む長辺の一部から内壁面２５が互いに平行となるように垂直上方向（図１（ｃ）中、上方向）へ延びる垂直片２４（垂直片２４Ａ、垂直片２４Ｂ）と、水平方向に互いに接近するように垂直片２４から同一平面上に延設された水平片２６（水平片２６Ａ、水平片２６Ｂ）とから構成されている。
【００２４】
水平片２６（水平片２６Ａ、水平片２６Ｂ）の下面には、防振弾性部材２８が貼着されている。防振弾性部材２８は、ポリプロピレンエラストマーで構成されている。なお、本実施形態では、防振弾性部材がポリプロピレンエラストマーで構成されている場合について説明するが、本発明においてはこれに限定されず、例えば、天然ゴム（ＮＲ）やスチレンブタジエンゴム（ＳＢＲ）等を挙げることができる。なお、本実施形態では設けられていないが、防振弾性部材の表面に凹凸を設けることとしてもよい。
【００２５】
本実施形態では、水平片２６の下面にのみ防振弾性部材２８が貼着されている場合について説明するが、本発明においては、水平片の下面のみだけではなく、垂直片の内壁面にも貼着されていてもよい。すなわち、本発明において防振弾性部材は、吊り具の係止片の内壁面の全部又は一部、すなわち、水平片の下面、及び、垂直片の内壁面のうちの全部又は一部に設けられていてもよい。
本発明においては、本実施形態のように、防振弾性部材が吊り具の係止片の内壁面に設けられていることが望ましい。防振弾性部材が設けられていることにより、上の階の床面（Ｉ字状梁材よりも上部）からの振動を下の階の天井に伝播することを抑制することができるからである。ただし、本発明において防振弾性部材は、必ずしも設けられている必要はない。また、本発明において防振弾性部材は、水平片に対向するベース板部の上面に貼着されていてもよい。
【００２６】
水平片２６の上面、垂直片２４の外側面、及び、ベース板部１２の下面には、各面の中央を連続的に横断する軸状のリブ３４が設けられている。リブ３４が設けられているため、水平片２６、垂直片２４及びベース板部１２を薄くしても充分な強度を維持することができる。その結果、吊り具１０全体としての軽量化を図るとともに、強度を高くすることができる。
【００２７】
下固定部３０は、ベース板部１２の各長辺中央から下側に延び、お互いの面が対向している下固定片３２（下固定片３２Ａ、下固定片３２Ｂ）を備えており、野縁を野縁の両側面側から挟みこむことができる。また、図１（ｂ）に示すように、下固定片３２には、ネジ止め用の貫通穴３３が各２箇所、高さ方向に段違いに形成されており、挟みこんだ野縁を、貫通穴３４を介してネジ止めすることができる。これにより、吊り具１０に野縁を取り付けることができる。なお、ネジ止め用の貫通穴の位置や個数は、適宜変更可能である。
【００２８】
次に、第１実施形態に係る吊り具１０の設置方法について説明する。
図２（ａ）〜図２（ｃ）、図３（ａ）及び図３（ｂ）は、図１に示した吊り具の設置方法を説明するための図である。
まず、Ｉ字状梁材１２０と、吊り具１０とを、Ｉ字状梁材１２０のフランジ１２１の長手方向と吊り具１０のベース板部１２の長手方向とが直交する位置関係にした状態で、吊り具１０をＩ字状梁材１２０に近づけ（図２（ａ）参照）、Ｉ字状梁材１２０のフランジ１２１を、吊り具１０の水平片２６Ａと水平片２６Ｂとの間を通過させ、ベース板部１２をフランジ１２１の下面に当接させる（図２（ｂ）参照）。
【００２９】
次に、吊り具１０を水平に９０度回転させる（図２（ｃ）参照）。これにより、垂直片２４の内壁面２５がフランジ１２１の側面に対向するとともに、防振弾性部材２８の下面がフランジ１２１の上面に当接する。その結果、一対の係止片２２間にフランジ１２１が狭持されるようにして吊り具１０がＩ字状梁材１２０に吊り下げられることとなる。
【００３０】
次に、図３（ａ）に示すように、下固定片３２Ａと下固定片３２Ｂとの間に野縁１２３を配置する。これにより、野縁１２３は、下固定片３２Ａと下固定片３２Ｂとにより両側面側から挟みこまれることとなる。
【００３１】
次に、図３（ｂ）に示すようにネジ止め用の貫通穴３３を介して吊り具１０と野縁１２３とをネジ３６によりネジ止めする。これにより、吊り具１０に野縁１２３が固定されることとなる。
【００３２】
このように、第１実施形態に係る吊り具１０によれば、Ｉ字状梁材１２０のフランジ１２１を、一対の係止片２２の水平片２６間を通過させてベース板部１２に当接させ、ベース板部１２を水平に回転させると、垂直片２４の内壁面２５がフランジ１２１の側面に対向するとともに、防振弾性部材２８の下面がフランジ１２１の上面に当接して、一対の係止片２２間にフランジ１２１が狭持されるようにして吊り下げられるため、薄いウェブ１２２にネジ止めを行ったり、水平方向に強度の弱いフランジ１２１にネジ止めを行わなくてもＩ字状梁材１２０に強固に取り付けることが可能となる。
【００３３】
また、道具を使うことなく、手で回転させれば、Ｉ字状梁材１２０に固定することができるため、作業性を向上させることが可能となる。加えて、Ｉ字状梁材１２０に天井材（野縁と天井板）を、ベース板部１２を介して吊支できるので、Ｉ字状梁材１２０と天井材の野縁１２３との間に生じる隙間を狭くでき、当該隙間を１０ｍｍ以下にでき、もし火災が発生したときであっても炎が天井を走って延焼が拡大するのを軽減することができる。
【００３４】
Ｉ字状梁材１２０と野縁１２３とが平行となるように設置する場合には、上述した第１実施形態に係る吊り具１０を用いて、吊り具１０とＩ字状梁材１２０及び野縁１２３とを固定することができる。一方、Ｉ字状梁材１２０と野縁１２３とが直交するように設置する場合には、以下に説明する第２実施形態に係る吊り具を用いることができる。
【００３５】
［第２実施形態］
図４（ａ）は、第２実施形態に係る吊り具を模式的に示す平面図であり、図４（ｂ）は、その正面図であり、図４（ｃ）は、その右側面図である。
吊り具４０は、金属製であり、ベース板部４２と、所定間隔を隔ててベース板部４２から上側に延びる一対の係止片５２（係止片５２Ａ、係止片５２Ｂ）を有する上固定部５０と、ベース板部４２より下側に設けられた下固定部６０とを備える。ベース板部４２は、２つの矩形板（矩形板４２ａ、矩形板４２ｂ）を長辺方向にずらして接合した形状を有している。
【００３６】
図４（ａ）、図４（ｃ）に示すように、係止片５２（係止片５２Ａ、係止片５２Ｂ）は、ベース板部４２の角４６（角４６ａ、角４６ｂ）を含む長辺の一部から内壁面５５が互いに平行となるように垂直上方向（図４（ｃ）中、上方向）へ延びる垂直片５４（垂直片５４Ａ、垂直片５４Ｂ）と、水平方向に互いに接近するように垂直片５４から同一平面上に延設された水平片５６（水平片５６Ａ、水平片５６Ｂ）とから構成されている。
【００３７】
図４（ａ）に示すように、水平片５６は、平面視で矩形を有しており、水平片５６の上面中央には、円形状の貫通孔５７が設けられており、この貫通孔５７を基点として、平面視で垂直片５４から遠ざかる方向に切れ込み５９が形成されている。防振弾性部材５８は、矩形板状部５８ａと、突起部５８ｂとから構成されており、突起部５８ｂは、矩形板状部５８ａとの境界部分にくびれを有している。そのため、くびれ部分を水平片５６の切れ込み５９に対して水平に通過させ、貫通孔５７まで移動させると、矩形板状部５８ａが水平片５６の下面に位置することとなる。
【００３８】
また、図４（ａ）に示すように、ベース板部４２には、水平片５６に対向する位置に、凹部４４（凹部４４Ａ、凹部４４Ｂ）が設けられており、凹部４４には、防振弾性部材４６が嵌め込まれている。ベース板部４２に防振弾性部材４６が設けられているため、上の階の床面（Ｉ字状梁材よりも上部）からの振動を下の階の天井に伝播することを抑制することができる。
【００３９】
下固定部６０は、矩形板４２ａにおける凹部４４が形成されていない側の短辺から下側に延びる下固定片６２Ａと、矩形板４２ｂにおける凹部４４が形成されていない側の短辺から下側に延びる下固定片６２Ｂとを備えている。下固定片６２Ａと、下固定片６２Ｂとは、所定の間隔を隔てて内側面６４（内側面６４ａ及び内側面６４ｂ）が平行となる位置関係にある。従って、野縁を野縁の両側面側から挟みこむことができる。また、図４（ｃ）に示すように、下固定片６２Ａには、ネジ止め用の貫通穴６３Ａが２箇所、高さ方向に段違いに形成されており、下固定片６２Ｂには、ネジ止め用の貫通穴６３Ｂが１箇所形成されている。従って、挟みこんだ野縁を、貫通穴６３を介してネジ止めすることができる。これにより、吊り具４０に野縁を取り付けることができる。
【００４０】
次に、第２実施形態に係る吊り具４０の設置方法について説明する。
図５（ａ）〜図５（ｃ）、図６（ａ）及び図６（ｂ）は、図４に示した吊り具の設置方法を説明するための図である。
まず、Ｉ字状梁材１２０と、吊り具４０とを、Ｉ字状梁材１２０のフランジ１２１の長手方向と吊り具４０のベース板部４２の長手方向とが直交する位置関係にした状態で、吊り具４０をＩ字状梁材１２０に近づけ（図５（ａ）参照）、Ｉ字状梁材１２０のフランジ１２１を、吊り具４０の水平片５６Ａと水平片５６Ｂとの間を通過させ、ベース板部４２をフランジ１２１に当接させる（図５（ｂ）参照）。
【００４１】
次に、吊り具４０を水平に９０度回転させる（図５（ｃ）参照）。これにより、垂直片５４の内壁面５５がフランジ１２１の側面に対向するとともに、防振弾性部材５８の下面がフランジ１２１の上面に当接する。その結果、一対の係止片５２間にフランジ１２１が狭持されるようにして吊り具４０がＩ字状梁材１２０に吊り下げられることとなる。
【００４２】
次に、図６（ａ）に示すように、下固定片６２Ａと下固定片６２Ｂとの間に野縁１２３を配置する。これにより、野縁１２３は、下固定片６２Ａと下固定片６２Ｂとにより両側面側から挟みこまれることとなる。
【００４３】
次に、図６（ｂ）に示すようにネジ止め用の貫通穴６３を介して吊り具４０と野縁１２３とをネジ６６によりネジ止めする。これにより、吊り具４０に野縁１２３が固定されることとなる。
【００４４】
［第３実施形態］
図７（ａ）は、第３実施形態に係る吊り具を模式的に示す平面図であり、図７（ｂ）は、その正面図であり、図７（ｃ）は、その右側面図である。
図８は、図７（ａ）に示した吊り具のＡ−Ａ線断面図である。
吊り具７０は、金属製であり、ベース板部７２と、所定間隔を隔ててベース板部７２から上側に延びる一対の係止片８２（係止片８２Ａ、係止片８２Ｂ）を有する上固定部８０と、ベース板部７２より下側に設けられた下固定部９０とを備える。ベース板部７２は、矩形の１組の対角の角部分（図７（ａ）中、左上部分と右下部分）が斜めに切り取られた板形状を有している。
【００４５】
図７（ａ）、図７（ｃ）に示すように、係止片８２（係止片８２Ａ、係止片８２Ｂ）は、ベース板部７２の角７６（角７６ａ、角７６ｂ）を含む長辺の一部から内壁面８５が互いに平行となるように垂直上方向（図７（ｃ）中、上方向）へ延びる垂直片８４（垂直片８４Ａ、垂直片８４Ｂ）と、水平方向に互いに接近するように垂直片８４から同一平面上に延設された水平片８６（水平片８６Ａ、水平片８６Ｂ）とから構成されている。
【００４６】
水平片８６（水平片８６Ａ、水平片８６Ｂ）の下面には、防振弾性部材８８が貼着されている。
【００４７】
図７（ａ）、図８に示すように、ベース板部７２の中央には、凹部７３が設けられており、凹部７３の中央には、貫通孔７５が形成されている。また、図７（ａ）に示すように、ベース板部７２の短辺寄り中央には、貫通孔７７が形成されている。
【００４８】
下固定部９０は、矩形板状の水平部９１（図７（ａ）参照）と、水平部９１の向かい合う２辺から下側に延び、互いの面が対向している下固定片９２（下固定片９２Ａ、下固定片９２Ｂ）を備えている。水平部９１の上面中央には、凸部９４が設けられており、凸部９４の先端には、貫通孔７５よりも径の大きい係合部９５が形成されている。下固定部９０は、凸部９４がベース板部７２に設けられた貫通孔７５に挿入され、且つ、係合部９５が、ベース板部７２の上面に係合した状態でベース板部７２に取り付けられており、回転自在となっている。下固定部９０が、ベース板部７２に対して回転自在に取り付けられているため、Ｉ字状梁材１２０のフランジ１２１の長手方向と野縁１２３の長手方向とを、どのような関係にする場合であっても使用することができる。すなわち、例えば、平行とする場合にも使用することができ、直交とする場合にも使用することができる。
【００４９】
また、図８に示すように、係合部９５の下面とベース板部７２の上面との間には、防振弾性部材９７が設けられている。ベース板部７２と下固定部９０（係合部９５）とが防振弾性部材９７を介して取り付けられているため、ベース板部７２と下固定部９０との接触面）において生じ得るきしみ音を低減することができる。
【００５０】
下固定片９２（下固定片９２Ａ、下固定片９２Ｂ）は、お互いの面が対向しているため、野縁を野縁の両側面側から挟みこむことができる。また、図７（ｂ）に示すように、下固定片９２には、ネジ止め用の貫通穴９３が各４箇所形成されており、挟みこんだ野縁を、貫通穴９３を介してネジ止めすることができる。これにより、吊り具７０に野縁を取り付けることができる。
なお、吊り具７０の設置方法については、図２及び図３を用いて説明した第１実施形態に係る吊り具１０と略同様であるからここでの説明は省略する。
【００５１】
上述した第１実施形態〜第３実施形態では、一対の垂直片が、ベース板部の角を含む長辺の一部から垂直上方向へ延設されたものである場合について説明した。しかしながら、本発明において一対の垂直片は、所定間隔を隔ててベース板部から垂直上方向に延びる形状を有しており、且つ、内壁面が互いに平行であれば、ベース板部のどの部分から垂直上方向に延びていてもよい。
【００５２】
以上、本発明に係る吊り具について説明したが、本発明の吊り具は、上述した例に限定されるものではなく、本発明の構成を充足する範囲内で、適宜設計変更を行うことが可能である。
【符号の説明】
【００５３】
１０、４０、７０  吊り具
１２、４２、７２  ベース板部
１６（１６ａ、１６ｂ）、４６（４６ａ、４６ｂ）、７６（７６ａ、７６ｂ）  角
２０、５０、８０  上固定部
２２（２２Ａ、２２Ｂ）、５２（５２Ａ、５２Ｂ）、８２（８２Ａ、８２Ｂ）  係止片
２４（２４Ａ、２４Ｂ）、５４（５４Ａ、５４Ｂ）、８４（８４Ａ、８４Ｂ）  垂直片
２５、５５、８５  内壁面
２６（２６Ａ、２６Ｂ）、５６（５６Ａ、５６Ｂ）、８６（８６Ａ、８６Ｂ）  水平片
２８、５８、８８  防振弾性部材
３０、６０、９０  下固定部
３２（３２Ａ、３２Ｂ）、６２（６２Ａ、６２Ｂ）、９２（９２Ａ、９２Ｂ）  下固定片
３３、６３（６３Ａ、６３Ｂ）、９３  ネジ止め用の貫通穴
３４  リブ
３６、６６  ネジ
４２ａ、４２ｂ  矩形板
４４  凹部
４６  防振弾性部材
５７  貫通孔
５８ｂ  突起部
５８ａ  矩形板状部
５９  切れ込み
６４（６４ａ、６４ｂ）  内側面
９１  水平部
９４  凸部
９５  係合部
９７  防振弾性部材
１２０  Ｉ字状梁材
１２１  フランジ
１２２  ウェブ
【図１】
2010168851.tif 000003
【図２】
2010168851.tif 000004
【図３】
2010168851.tif 000005
【図４】
2010168851.tif 000006
【図５】
2010168851.tif 000007
【図６】
2010168851.tif 000008
【図７】
2010168851.tif 000009
【図８】
2010168851.tif 000010
【図９】
2010168851.tif 000011
【図１０】
2010168851.tif 000012